(57)【要約】      （修正有）【課題】メモリ装置を覆う一対の放熱保護シート及び緩衝フィルムが抜けることなく、メモリ装置を容易に組み立てることができるメモリ装置放熱保護装置を提供する。【解決手段】メモリ装置２０を覆う一対の放熱保護シート１０を設け、その放熱保護シートの内側に緩衝効果を持つフィルム１１１を設け、放熱保護シート内側すそ部に垂直に一対の噛み合わせシート１２と噛み合わせ台１３を設け、噛み合わせシート前部側面にほぞを設け、噛み合わせ台下段表面に噛み合わせ孔を設け、２枚の放熱保護シートを噛み合わせた後、噛み合わせシートのほぞが径の小さい噛み合わせ台の上段表面噛み合わせ孔内に噛み合わせられて、外部に滑らず分離しないようにする。【選択図】図２
2006100818.tif 000002
【特許請求の範囲】
【請求項１】
メモリ装置放熱保護装置であって、一対のメモリ装置を覆う放熱保護シート、その放熱保護シート内面にフィルムを設け、上すそ部に向かい合わせて一対の噛み合わせシートと噛み合わせ台を設け、その噛み合わせ台前面すそ部は次第に降下し、二つの階段面を形成し、この二つの階段面に沿って一つ噛み合わせ孔を設け、この噛み合わせシートの前面も合わせて次第に降下し、二つの階段面を設け、低い方の下段表面に噛み合わせシートを設け、その噛み合わせシートは噛み合わせ孔内部に進入し、二つの放熱保護シートの上すそ部に噛み合わせ状態を形成した上、二つの放熱保護シート間にメモリ装置を収納する空間を形成し、フィルムによりメモリ装置と密着させた、メモリ装置放熱保護装置において、  前述の噛み合わせ台下段表面噛み合わせ孔の幅は、上段表面噛み合わせ孔の幅より大きく、前述噛み合わせシートの端部に少なくとも一端に一つのほぞを延ばし、前面すそ部の幅を下噛み合わせ孔の幅とほぼ同じにし、噛み合わせ台上段表面噛み合わせ孔の幅より大きいとし、前述の噛み合わせシートは噛み合わせ台上段表面の噛み合わせ孔に噛み合わせて、ほぞによりその噛み合わせ台の上段表面噛み合わせ孔を止めて、噛み合わせた二つの放熱保護シートの分離防止を実現することを特徴とする、メモリ装置放熱保護装置。
【請求項２】
請求項１記載のメモリ装置放熱保護装置において、その噛み合わせ台の下段表面噛み合わせ孔は上段表面噛み合わせ孔より幅広い部分は、端面に半円形孔または横方向のU 字孔を設け、その半円形孔または横方向のU 字孔の口径は噛み合わせシートの厚みよりやや大きいことを特徴とする、メモリ装置放熱保護装置。
【請求項３】
請求項２記載のメモリ装置放熱保護装置において、そのうち、噛み合わせシート端部より延ばすほぞは、半円形状または横方向のU 形状を特徴とする、メモリ装置放熱保護装置。
【請求項４】
請求項３記載のメモリ装置放熱保護装置において、そのうち、噛み合わせシート端部両側よりそれぞれほぞを延ばし、下段表面噛み合わせ孔の両側も合わせて、半円形孔設けることを特徴とする、メモリ装置放熱保護装置。
【請求項５】
請求項４記載のメモリ装置放熱保護装置において、そのうち、噛み合わせシートの中間部に断面溝を開け、噛み合わせ台の中間部も断面溝の幅より小さい案内シートを設けることを特徴とする、メモリ装置放熱保護装置。
【請求項６】
請求項１記載のメモリ装置放熱保護装置において、そのうち、放熱保護シートは熱伝導材質であり、放熱機能を有することを特徴とする、メモリ装置放熱保護装置。
【請求項７】
請求項１記載のメモリ装置放熱保護装置において、そのうち、二つの放熱保護シート側面は、さらにU 形挟み部材の二つの挟み足と二つの放熱保護シートの外側面との接触により挟まれることを特徴とする、メモリ装置放熱保護装置。
【請求項８】
請求項７記載のメモリ装置放熱保護装置において、そのうち、放熱保護シートはU 形挟み部材に挟まれる位置に、U 形挟み部材の平面い同じ形状の溝を設け、その溝とU 形挟み部材と互いに干渉する噛み合わせ構造を特徴とする、メモリ装置放熱保護装置。
【請求項９】
請求項８記載のメモリ装置放熱保護装置において、そのうち、放熱保護シートの溝にU 形挟み部材と互いに干渉する噛み合わせ構造を設け、放熱保護シート上はプレス加工された突起部を設けて、U 形挟み部材の挟み足は、干渉の相関位置にプレス加工された凹み部であることを特徴とする、メモリ装置放熱保護装置。
【請求項１０】
請求項７記載のメモリ装置放熱保護装置において、そのうち、U 形挟み部材挟み足が端面に近い場所は内側に引き込む割れ目を設け、放熱保護シート上の溝はこの割れ目に合わせて、ルート表面を設けて、噛み合わせ強度を向上することを特徴とする、メモリ装置放熱保護装置。
【請求項１１】
請求項７記載のメモリ装置放熱保護装置において、そのうち、U 形挟み部材挟み足すそ部の中間位置は、外側に向かって突起する段差部を設け、この段差部と放熱保護シートの溝のすそ部に隙間を形成することを特徴とする、メモリ装置放熱保護装置。
【請求項１２】
請求項１記載のメモリ装置放熱保護装置において、そのうち、前述の放熱保護シートは上部に延ばして、メモリ装置上すそ部を超え放熱部を設けて、放熱機能を増やせることを特徴とする、メモリ装置放熱保護装置。
【請求項１３】
請求項１２記載のメモリ装置放熱保護装置において、そのうち、放熱保護シート上部に互いに噛み合わせる噛み合わせシートと噛み合わせ台を設けることを特徴とする、メモリ装置放熱保護装置。
【請求項１４】
請求項１２記載のメモリ装置放熱保護装置において、そのうち、放熱保護シート上部に突起シートを設けることを特徴とする、メモリ装置放熱保護装置。
【請求項１５】
請求項１２記載のメモリ装置放熱保護装置において、そのうち、放熱保護シート上部に一対の挟み部材を用いて、放熱保護シートを噛み合わせることを特徴とする、メモリ装置放熱保護装置。
【請求項１６】
請求項１または１２記載のメモリ装置放熱保護装置において、そのうち、放熱保護シート内面のフィルムは放熱効果を有する緩衝材であり、メモリ装置に付着することを特徴とする、メモリ装置放熱保護装置。
【請求項１７】
請求項１２記載のメモリ装置放熱保護装置において、そのうち、放熱部に複数のフィンを設けて、空気流動経路を増やしたことを特徴とする、メモリ装置放熱保護装置。
【請求項１８】
請求項１７記載のメモリ装置放熱保護装置において、そのうち、フィンは放熱部をプレス加工により成型し、放熱部上部はフィンに合わせて開口部設けることを特徴とする、メモリ装置放熱保護装置。
【請求項１９】
請求項１７記載のメモリ装置放熱保護装置において、そのうち、フィンは長方形、円弧形または段階形状とすることを特徴とする、メモリ装置放熱保護装置。
【請求項２０】
請求項１２記載のメモリ装置放熱保護装置において、そのうち、放熱部全体は放熱シート上部より延ばしたもので、放熱部と放熱シートの間に、正方形孔を設けて、噛み合わせ部材を貫通させることを特徴とする、メモリ装置放熱保護装置。
【請求項２１】
請求項１２記載のメモリ装置放熱保護装置において、そのうち、放熱シートと放熱部は分離構造であることを特徴とする、メモリ装置放熱保護装置。
【請求項２２】
請求項１６記載のメモリ装置放熱保護装置において、そのうち、フィルムはプラスチック、ポリフォームまたはシリコンゴムであることを特徴とする、メモリ装置放熱保護装置。
【発明の詳細な説明】
【技術分野】
【０００１】
一種のメモリ装置放熱保護装置、特に一対以上の側面を互いに噛み合わせた放熱保護シートをメモリ装置外部に覆せて、チップの衝突、または衝撃による破損を保護する放熱保護装置に関する。
【背景技術】
【０００２】
メモリ装置の形状は、長いバーシート状のプリント基板両側に複数のチップを取付けたものである。それらのチップはぶつかりや衝撃による破損を避けるため、外部に保護シートを覆って保護する装置を設けている。さらに、その保護装置は金属製および熱緩衝シートに伝熱材料を使用するとき、保護と放熱機能を果たせる。
【０００３】
公知の保護装置を構成する2 枚の放熱保護シートは、ねじまたはリベットなどの締めつけ部品により組み合わせている。その組合せは難しいため、一種のU 形挟み部材による組合せ方式でメモリ装置を保護する設計が知られている。一例として、特許文献１に記憶装置放熱装置は、その典型例である。放熱保護シート上部に噛み合わせ鉤と噛み合わせ孔を設けて、2 枚の放熱シートを噛み合わせた上、その間に熱伝導フィルムにより、メモリ装置を接着する。さらに、放熱シート外側に挟み部材を設けて、挟み部材の逆かぎと放熱シート上の噛み合わせ孔により固定する。
【０００４】
【特許文献１】台湾特許第４９５１０号
【発明の開示】
【発明が解決しようとする課題】
【０００５】
しかしながら、この類の公知技術は、放熱シートの噛み合わせ鉤は同一幅のシート部材を使用し、噛み合わせ孔がそのシート形状の噛み合わせ鉤の正方形孔より大きい、噛み合わせた後、2 枚の放熱シートが脱けやすいため、メモリ装置を接着するときの困難度を加わっている。特に、放熱シートは噛み合わせ鉤と噛み合わせ孔で固定するため、放熱シートは両側に移動して、覆うメモリ装置から抜けて、接着ミスを引き起す。このため、メモリ装置から切り離して、再度接着の必要がある。このように、数回発生した後、メモリ装置のチップを破壊の可能性がある。
【０００６】
次に、公知技術の挟み部材は簡単なU 型設計により、逆かぎと噛み合わせ孔と組み合わせため、いったん組み立てると、挟み部材を取り外すのに困難がある。
【０００７】
その上、コンピュータ技術が絶えずに更新し、演算速度がますます速くなる。演算速度がますます向上する中、メモリ装置の放熱温度をさらに上げている。より迅速な放熱効果を図るため、放熱シート構造に改善しなければならない。
【０００８】
一方、大量生産および歩留り率要求に応えるため、公知の記憶装置に対する改善の必要がある。
【０００９】
公知技術の放熱シートの脱けやすい課題に対して、本考案は一種のメモリ装置放熱保護装置に関わるもので、メモリ装置覆う一対の放熱保護シートを設け、その放熱保護シートの内側にフィルムを設けて、その上すそ部に垂直して一対の挟み部材と挟み台を設ける。その噛み合わせシートは噛み合わせ台内部の噛み合わせ孔に進入し、2 枚の放熱保護保護シート上部表面に噛み合わせ形状を設け、メモリ装置収納し、フィルムを用いてメモリと密着させる。本考案における主な改良は、噛み合わせシート少なくとも一つの端部に一つのほぞを延ばしておく、噛み合わせ台もこれに合わせて異なる幅二つの噛み合わせ孔を形成し、噛み合わせシートが噛み合わせ孔に噛み合わせたとき、ほぞは幅の小さい噛み合わせ孔を噛み合わせて、噛み合わせた二つの放熱シートを抜けることなく、メモリ装置を容易に組み立てることができ、生産速度を向上できる。
【課題を解決するための手段】
【００１０】
請求項１の発明は、メモリ装置放熱保護装置であって、一対のメモリ装置を覆う放熱保護シート、その放熱保護シート内面にフィルムを設け、上すそ部に向かい合わせて一対の噛み合わせシートと噛み合わせ台を設け、その噛み合わせ台前面すそ部は次第に降下し、二つの階段面を形成し、この二つの階段面に沿って一つ噛み合わせ孔を設け、この噛み合わせシートの前面も合わせて次第に降下し、二つの階段面を設け、低い方の下段表面に噛み合わせシートを設け、その噛み合わせシートは噛み合わせ孔内部に進入し、二つの放熱保護シートの上すそ部に噛み合わせ状態を形成した上、二つの放熱保護シート間にメモリ装置を収納する空間を形成し、フィルムによりメモリ装置と密着させた、メモリ装置放熱保護装置において、
前述の噛み合わせ台下段表面噛み合わせ孔の幅は、上段表面噛み合わせ孔の幅より大きく、前述噛み合わせシートの端部に少なくとも一端に一つのほぞを延ばし、前面すそ部の幅を下噛み合わせ孔の幅とほぼ同じにし、噛み合わせ台上段表面噛み合わせ孔の幅より大きいとし、前述の噛み合わせシートは噛み合わせ台上段表面の噛み合わせ孔に噛み合わせて、ほぞによりその噛み合わせ台の上段表面噛み合わせ孔を止めて、噛み合わせた二つの放熱保護シートの分離防止を実現することを特徴とする、メモリ装置放熱保護装置。
請求項２の発明は、請求項１記載のメモリ装置放熱保護装置において、その噛み合わせ台の下段表面噛み合わせ孔は上段表面噛み合わせ孔より幅広い部分は、端面に半円形孔または横方向のU 字孔を設け、その半円形孔または横方向のU 字孔の口径は噛み合わせシートの厚みよりやや大きいことを特徴とする、メモリ装置放熱保護装置としている。
請求項３の発明は、請求項２記載のメモリ装置放熱保護装置において、そのうち、噛み合わせシート端部より延ばすほぞは、半円形状または横方向のU 形状を特徴とする、メモリ装置放熱保護装置としている。
請求項４の発明は、請求項３記載のメモリ装置放熱保護装置において、そのうち、噛み合わせシート端部両側よりそれぞれほぞを延ばし、下段表面噛み合わせ孔の両側も合わせて、半円形孔設けることを特徴とする、メモリ装置放熱保護装置としている。
請求項５の発明は、請求項４記載のメモリ装置放熱保護装置において、そのうち、噛み合わせシートの中間部に断面溝を開け、噛み合わせ台の中間部も断面溝の幅より小さい案内シートを設けることを特徴とする、メモリ装置放熱保護装置としている。
請求項６の発明は、請求項１記載のメモリ装置放熱保護装置において、そのうち、放熱保護シートは熱伝導材質であり、放熱機能を有することを特徴とする、メモリ装置放熱保護装置としている。
請求項７の発明は、請求項１記載のメモリ装置放熱保護装置、そのうち、二つの放熱保護シート側面は、さらにU 形挟み部材の二つの挟み足と二つの放熱保護シートの外側面との接触により挟まれることを特徴とする、メモリ装置放熱保護装置としている。
請求項８の発明は、請求項７記載のメモリ装置放熱保護装置において、そのうち、放熱保護シートはU 形挟み部材に挟まれる位置に、U 形挟み部材の平面い同じ形状の溝を設け、その溝とU 形挟み部材と互いに干渉する噛み合わせ構造を特徴とする、メモリ装置放熱保護装置としている。
請求項９の発明は、請求項８記載のメモリ装置放熱保護装置において、そのうち、放熱保護シートの溝にU 形挟み部材と互いに干渉する噛み合わせ構造を設け、放熱保護シート上はプレス加工された突起部を設けて、U 形挟み部材の挟み足は、干渉の相関位置にプレス加工された凹み部であることを特徴とする、メモリ装置放熱保護装置としている。
請求項１０の発明は、請求項７記載のメモリ装置放熱保護装置において、そのうち、U 形挟み部材挟み足が端面に近い場所は内側に引き込む割れ目を設け、放熱保護シート上の溝はこの割れ目に合わせて、ルート表面を設けて、噛み合わせ強度を向上することを特徴とする、メモリ装置放熱保護装置としている。
請求項１１の発明は、請求項７記載のメモリ装置放熱保護装置において、そのうち、U 形挟み部材挟み足すそ部の中間位置は、外側に向かって突起する段差部を設け、この段差部と放熱保護シートの溝のすそ部に隙間を形成することを特徴とする、メモリ装置放熱保護装置としている。
請求項１２の発明は、請求項１記載のメモリ装置放熱保護装置において、そのうち、前述の放熱保護シートは上部に延ばして、メモリ装置上すそ部を超え放熱部を設けて、放熱機能を増やせることを特徴とする、メモリ装置放熱保護装置としている。
請求項１３の発明は、請求項１２記載のメモリ装置放熱保護装置において、そのうち、放熱保護シート上部に互いに噛み合わせる噛み合わせシートと噛み合わせ台を設けることを特徴とする、メモリ装置放熱保護装置としている。
請求項１４の発明は、請求項１２記載のメモリ装置放熱保護装置において、そのうち、放熱保護シート上部に突起シートを設けることを特徴とする、メモリ装置放熱保護装置としている。
請求項１５の発明は、請求項１２記載のメモリ装置放熱保護装置において、そのうち、放熱保護シート上部に一対の挟み部材を用いて、放熱保護シートを噛み合わせることを特徴とする、メモリ装置放熱保護装置としている。
請求項１６の発明は、請求項１または１２記載のメモリ装置放熱保護装置において、そのうち、放熱保護シート内面のフィルムは放熱効果を有する緩衝材であり、メモリ装置に付着することを特徴とする、メモリ装置放熱保護装置としている。
請求項１７の発明は、請求項１２記載のメモリ装置放熱保護装置において、そのうち、放熱部に複数のフィンを設けて、空気流動経路を増やしたことを特徴とする、メモリ装置放熱保護装置としている。
請求項１８の発明は、請求項１７記載のメモリ装置放熱保護装置において、そのうち、フィンは放熱部をプレス加工により成型し、放熱部上部はフィンに合わせて開口部設けることを特徴とする、メモリ装置放熱保護装置としている。
請求項１９の発明は、請求項１７記載のメモリ装置放熱保護装置において、そのうち、フィンは長方形、円弧形または段階形状とすることを特徴とする、メモリ装置放熱保護装置としている。
請求項２０の発明は、請求項１２記載のメモリ装置放熱保護装置において、そのうち、放熱部全体は放熱シート上部より延ばしたもので、放熱部と放熱シートの間に、正方形孔を設けて、噛み合わせ部材を貫通させることを特徴とする、メモリ装置放熱保護装置としている。
請求項２１の発明は、請求項１２記載のメモリ装置放熱保護装置において、そのうち、放熱シートと放熱部は分離構造であることを特徴とする、メモリ装置放熱保護装置としているとしている。
請求項２２の発明は、請求項１６記載のメモリ装置放熱保護装置において、そのうち、フィルムはプラスチック、ポリフォームまたはシリコンゴムであることを特徴とする、メモリ装置放熱保護装置としている。
【発明の効果】
【００１１】
本発明は、さらに放熱保護シートに特殊設計のU 形挟み部材を設け、このU 形挟み部材の挟み足端部の両側に割れ目を設け、放熱保護シート上の溝に設けるルート表面と組み合わせることにより、噛み合わせ強度を増やし、抜けることを防止できる。
【００１２】
また、本発明はU 形挟み部材の挟み足すそ部の中間位置に外側に突き出す段差部を設け、放熱保護シート溝のすそ部と隙間を形成して、ドライバーなどの偏平工具をその隙間にいれて、U 形挟み部材を簡単に取り外すことができる。
【００１３】
また、本発明は放熱保護シートを上方に延ばして、その高さをメモリ装置の上部より高くし放熱部を設けて、放熱保護シートの放熱機能を向上させ、高速度のメモリ装置に対応する。
【００１４】
本発明もう一つの目的は、一種のメモリ放熱保護シートを提供し、上に延ばして形成する放熱部に複数のフィンを設け、二つの放熱部間により長いの空気チャンネルを形成して、素早く放熱の効果を果たせる。
【００１５】
本発明一つの目的は一種のメモリ放熱保護シートを提供し、その放熱部に設けるフィンは長方形、円弧形、または多段式のシート部材を使用する。
【００１６】
本発明のさらなる一つの目的は、一種のメモリ放熱保護シートを提供し、その放熱部と放熱保護シートは一体化成型、または放熱シートと組立方式を空間の必要性に応じて、放熱部をそれぞれ組み合わせることができる。
【００１７】
さらに、本発明はほぞを設けた噛み合わせシートが基本であり、噛み合わせ孔に合わせて、形状が様々な噛み合わせシートと噛み合わせ孔を設計できる。一例として、ほぞは噛み合わせシートの左側または右側、あるいはその両側に設けることもできる。さらに、噛み合わせシート上に断面溝を開けても良い。これらの変化はすべて噛み合わせシートを噛み合わせ孔に噛み合わせた後、抜けない効果がある。
【００１８】
本発明の構造、特徴と操作効果は図面と実施例を合わせて、以下のとおり説明する。
【発明を実施するための最良の形態】
【００１９】
図１と図２に示すとおり、本発明に提供するメモリ装置放熱保護装置は主に一対のメモリ装置２０を覆う放熱保護シート１０より構成する。その放熱保護シートに対する内面に緩衝効果を持つフィルム１１１を設け、メモリ装置２０をその中間部に挟んでおき、メモリ装置２０に取付けていたチップを保護する。
【００２０】
放熱保護シート１０の上すそ部に垂直して一対の噛み合わせシート１２と噛み合わせ台１３を設けて、この両者は互いに噛み合わせることができる。その構造をより明確に示すため、図３にその拡大部分を示す。その噛み合わせ台１３前部を降下して、上下二つの階段面１３１、１３２を形成し、この二つの階段面に沿って、噛み合わせ孔を設ける。噛み合わせ台下段表面１３２横方向のU 字噛み合わせ孔１３４の幅は上段表面１３１噛み合わせ孔１３３より広く、２段式の噛み合わせ孔を形成する。
【００２１】
さらに、噛み合わせシート１２の前面も降下して、上下二つの階段面１２１、１２２を設けて、噛み合わせシートを形成する。噛み合わせシート１２２の端部少なくとも一端に一つのほぞ１２３を延ばして、前面の幅を噛み合わせ台下段表面の横方向のU 型噛み合わせ孔１３４とほぼ同じにし、噛み合わせ台上段表面の噛み合わせ孔１３３の幅より広い。噛み合わせシート１２２にほぞ１２３を設けない部分の幅は噛み合わせ台の上段表面噛み合わせ孔より狭く設ける。このような設計は、図４Ａと図４Ｂの組立動作図に示すとおり、２枚の放熱シート１０を噛み合わせるとき、噛み合わせシート１２２とほぞ１２３は、噛み合わせ台下段表面横方向のU 形噛み合わせ孔１３４に挿入してから、径の小さい噛み合わせ台の上段表面噛み合わせ孔１３３内噛み合わせられて、外部に滑べない。さらに、図４Ｂと図４Ｃを参照ください。
【００２２】
噛み合わせシート上段表面１２１両側に噛み合わせシート１２４を設け、組み合わせるとき、噛み合わせ台下段表面１３２両側の上部に支えて、噛み合わせシート１２２と合わせて、三つの視点を構成する安定構造を実現する。
【００２３】
本発明は噛み合わせシート１２２前部側面にほぞ１２３を設け、２枚の放熱保護シート１０を噛み合わせた後、分離しないようにする。メモリ装置２０を組み立てるとき、２枚の放熱シート１０を図５の互いに開けた形状に展開しておく、このとき、メモリ装置２０は平らに置いた放熱保護シートを接着してから、展開された放熱保護シートを矢印G1方向にかぶせておき、ほぞ１２３の定位置回転軸により、展開された放熱保護シートをメモリ装置２０の上部に確実接着できる。本考案のほぞ設計は、噛み合わせた後の放熱保護シートは抜けにくくなり、素早く組立でき、生産効率を向上し、製造コストを軽減できることが明らかである。
【００２４】
特に、この設計により、メモリ装置２０を組み立てるとき、より簡単に合わせることができるため、接着間違いによりメモリ装置２０を取り外すによる破損を大幅に減少する。
【００２５】
前記の実施例において、図面のほぞ１２３は噛み合わせシート１２２の一端に取り付けているが、このほぞ１２３を左側または右側、あるいはその両側ともほぞ１２３を取り付けても良い。
【００２６】
図６Ａは本発明の第一変化設計を示すもので、その放熱保護シート４０上の噛み合わせシート４２と噛み合わせた孔台４３は、前述の実施例と少し異なる。噛み合わせた台４３に上段表面と下部表面４３１、４３２を設け、噛み合わせ孔も上段表面噛み合わせ孔４３３と下段表面噛み合わせ孔４３４を設ける。下段表面噛み合わせ孔４３４は上段表面噛み合わせ孔４３３より幅広い部分の端面に半円形孔４３５を設ける。その半円形孔４３５の直径は噛み合わせシート４２よりやや分厚い。これに合わせて、噛み合わせシート４２の前面も降下させ、上下二つの階段面４２１、４２２を設けて、噛み合わせシート４２を形成する。噛み合わせシート４２２の一端面にほぞ４２３を設け、そのほぞ４２３は半円形状である。この設計の主な目的は、下段表面噛み合わせ孔４３４幅広い半円形孔４３５を縮小し、ほぞ４３３を噛み合わせ孔に噛み合わせた後、より抜けにくいにする。
【００２７】
図６Ｂは図６Ａの実施例と同じである。その違いは半円形孔５３５とほぞ５２３は他端に設ける。
【００２８】
さらに、図６Ｃに示すとおり、その変更は噛み合わせシート６２２両側ともほぞ６２３を設け、下段表面噛み合わせ孔６３４両側もこれに合わせて、半円形孔６３５をそれぞれ設ける。その目的は、噛み合わせシート６２２を下段表面噛み合わせ孔634 内へより確実に導き、両側ともほぞ６２３があるため、噛み合わせ後は、より丈夫で抜けにくい。
【００２９】
図６Ｄに示すものは、図６Ｃの実施例をさらに変化したものである。そのうち、噛み合わせシート７２中間部に断面溝７２４を設け、噛み合わせ台７２の噛み合わせ孔に断面溝７２４の幅より狭い案内シート７３６を設ける。この変化により、噛み合わせシート72をより確実に噛み合わせ孔に導き、噛み合わせできる。
【００３０】
本発明の放熱保護シート１０は、メモリ装置２０に取り付けたチップのぶつかりまたは衝撃による破損を保護することがその主な目的である。もし、放熱保護シート１０が金属製の緩衝効果を持つフィルムを使用すると、チップ保護と放熱両方の効果が期待できる。
【００３１】
さらに、本考案は図７と図８に示すように、放熱保護シート１０外部にU 形挟み部材３０を取り付けることもできる。２枚の放熱シート１０上すそ部は、さらにU 形挟み部材３０の２本の挟み足３１により、２枚の放熱シート外部と接触により挟んでも良い。放熱保護シート１０のU 形挟み部材３０にはさまれる場所に、U 形挟み部材挟み足３１平面と同じ溝１４を設けると、これにより、溝１４はU 形挟み部材３０に挟まれて、組み立てた後に動かない。さらに、その溝１４内部にU 形挟み部材３０と互いに干渉する噛み合わせ機構を設ける。
【００３２】
図８に示すとおり、噛み合わせ機構は放熱保護シート１０の溝１４に外部に突き出す突起部１５を設け、U 形挟み部材の挟み足３１は緩衝場所の相関位置にプレス加工された凹み部３２を設ける。突起部１５は二つ機能がある。その一つは突起部１５は勾配を形成し、挟み部材３０をより簡単に放熱保護シート１０外部に押し込んで噛み合わせられる。その二つは突起部１５と凹み部３２と互いに干渉して噛み合わせ固定できる。
【００３３】
本発明のもう一つのポイントは、U 形挟み部材３０の挟み力量の強化設計にある。Ｕ形挟み部材の挟み足３１はすそ部に近い両側に内側に引き込む割れ目３３を設け、放熱保護シート１０の溝１４はその割れ目３３に合わせてルート表面１６に設けて、噛み合わせ強度を強化する。
【００３４】
さらに、Ｕ形挟み部材３０が噛み合わせた後に解放できるように、Ｕ形挟み部材の挟み足３１すそ部の中間部より、外部に向かって突起の段差部３４を設けて、図９に示すとおり、その段差部３４は放熱保護シート１０の溝１４すそ部と隙間Ｓを形成する。このような設計は、利用者は簡単操作により、ドライバーなどの偏平工具をこの隙間にいれて、Ｕ形挟み部材３０と放熱保護シート１０の噛み合わせを解除し、保護装置を取り外すことができる。
【００３５】
Ｕ形挟み部材３０２本の挟み足３１間の連結部３５は組み立てるとき、放熱保護シート１０上すそ部二つの挟み台１７の圧下により形成する固定シート１８上にあり、Ｕ形挟み部材３０位置を制限する。
【００３６】
図１０に示すものは、本発明の放熱保護シート１０を上方より延ばして、メモリ装置２０の上端面を超えて、放熱部８５を形成している。放熱部８５上に複数のフィン８６を設けて、放熱効果を増やせる。
【００３７】
図１０に示す実施例において、フィン８６は長方形であり、放熱部８５をプレス加工して作られ、放熱部８５上に開孔部８７を設ける。図１３は、放熱部８５上のフィン８６構造を示す。二つの放熱部８５に通過する通路を長くし、熱交換時間を増やして、放熱効果を向上させる。
【００３８】
さらに、図１４と図１４Ａに示すとおり、本発明の放熱部８５０ごとは放熱保護シート１００より延ばしたもので、放熱部８５０と放熱保護シート１００の間に正方形孔１８０を設けて、U 形挟み部材３０を貫通させる。放熱部８５０上にフィン１６０と開口部１７０を設けても良い。この設計により、より大きい放熱部８５０面積が得られるため、放熱効果を向上できる。
【００３９】
図１５と図１５Ａに示すとおり、本発明の放熱保護シート１０１上の放熱部８５１に設けるフィン１６１は円弧形であり、開孔部１７１も円弧形の開孔部を設ける。このような設計の長所は、空気は円弧形フィン１６１に流動する経路をより順調し、熱気を素早く外部に導かれる。
【００４０】
図１６と図１６Ａに示すとおり、その放熱保護シート１０２の放熱部８５２に設けるフィン１６１は多段式である。この図では２段式１６２Ａと１６２Ｂを設け、これに合わせて開孔部１７２Ａと１７２Ｂを設けて、より多くの空気流動経路を形成する。フィン１６１は２段以上の設計、または点形状の突起部を設けても良い。
【００４１】
さらに、図１７と図１８に示すとおり、放熱保護シート１０３と放熱部８５３は分離式の組合せ構造に設計しても良い。放熱部８５３は溶接、リベット接合またはその他の組立構造により、放熱保護シート１０３上に組み込められる。このような設計は、様々な空間要求により、寸法と形状が違う放熱部８５３に合わせることができる。
【００４２】
特に注目なるところは、前記のフィルムは、プラスチック、ポリフォーム、またはシリコンゴムなど他の素材に代わることができる。
【００４３】
以上に説明したとおり、本発明の提供するメモリ装置放熱保護シートは、創造的な設計であり、高速コンピュータに合わせて使用することにより、放熱機能を向上させ、メモリの破損を保護できる。本発明は図示した実施例に限ることなく、同じ創作概念による等価変更も、本発明の特許請求の範囲に含まれるものとする。
【図面の簡単な説明】
【００４４】
【図１】本発明による一種の実施例の外観図である。
【図２】図１に示す実施例の分解図である。
【図３】図１に示す実施例の部分拡大図である。
【図４Ａ】噛み合わせシートと噛み合わせ台の組合せ動作図である。
【図４Ｂ】噛み合わせシートと噛み合わせ台の組合せ動作図である。
【図４Ｃ】図４ＢにおけるCCに沿った断面図である。
【図５】本発明メモリ装置の組合せ概略図である。
【図６Ａ】本発明の様々な変化による実施例である。
【図６Ｂ】本発明の様々な変化による実施例である。
【図６Ｃ】本発明の様々な変化による実施例である。
【図６Ｄ】本発明の様々な変化による実施例である。
【図７】本発明一実施例の外観図、U 形挟み部材が設けられている。
【図８】図７に示す実施例の分解図である。
【図９】図７の９９に沿った断面拡大図である。
【図１０】本発明による一実施例の分解図である。
【図１１】図１０の組合せ図である。
【図１２】図１１の平面図である。
【図１３】図１２の４に沿った断面図である。
【図１４】本発明もう一つの実施例の平面図である。
【図１４Ａ】図１４の５Ａに沿った断面図である。
【図１５】本発明もう一つの実施例の平面図である。
【図１５Ａ】図１５の６Ａに沿った断面図である。
【図１６】本発明もう一つの実施例の平面図である。
【図１６Ａ】図１６の７Ａに沿った断面図である。
【図１７】本発明もう一つの実施例の分離式構造平面図である。
【図１８】図１７の組合せ完了後の構造平面図である。
【符号の説明】
【００４５】
Ｇ１    放熱保護シート蓋閉め方向
Ｓ      隙間
１０    放熱保護シート
１１    内側
１１１  緩衝フィルム
１２    噛み合わせシート
１２１  噛み合わせシート上部表面
１２２  噛み合わせシート下部表面（噛み合わせシート）
１２３  ほぞ
１２４  止めシート
１３    噛み合わせ台
１３１  噛み合わせ台上部表面
１３２  噛み合わせ台下部表面
１３３  上段表面噛み合わせ孔
１３４  下段表面横U 字噛み合わせ孔
１４    溝
１５    突起部
１６    ルート表面
１７    噛み合わせ受け台
１８    固定シート
２０    メモリ装置
３０    Ｕ形挟み部材
３１    挟み足
３２    凹み部
３３    割れ目
３４    段差部
３５    連結部
４０    放熱保護シート
４２    噛み合わせシート
４２１  噛み合わせシート上部表面
４２２  噛み合わせシート下部表面
４２３  ほぞ
４３    噛み合わせ台
４３１  噛み合わせ台上部表面
４３２  噛み合わせ台下部表面
４３３  上段表面噛み合わせ孔
４３４  下段表面噛み合わせ孔
４３５  半円形孔
５２３  ほぞ
５３５  半円形孔
６２２  噛み合わせシート
６２３  ほぞ
６３４  下段表面噛み合わせ孔
６３５  半円形孔
７２    噛み合わせシート
７２４  断面溝
７３６  案内シート
８４    突起シート
８５    放熱部
８６    フィン
８７    開孔部
１００  放熱保護シート
１０１  放熱保護シート
１０２  放熱保護シート
１０３  放熱保護シート
８５０  放熱部
８５１  放熱部
８５２  放熱部
８５３  放熱部
１６０  フィン
１６１  フィン
１６２Ａ  フィン
１６２Ｂ  フィン
１７０  開孔部
１７１  開孔部
１７２Ａ  開孔部
１７２Ｂ  開孔部
１８０  正方形孔
【図１】
2006100818.tif 000003
【図２】
2006100818.tif 000004
【図３】
2006100818.tif 000005
【図４Ａ】
2006100818.tif 000006
【図４Ｂ】
2006100818.tif 000007
【図４Ｃ】
2006100818.tif 000008
【図５】
2006100818.tif 000009
【図６Ａ】
2006100818.tif 000010
【図６Ｂ】
2006100818.tif 000011
【図６Ｃ】
2006100818.tif 000012
【図６Ｄ】
2006100818.tif 000013
【図７】
2006100818.tif 000014
【図８】
2006100818.tif 000015
【図９】
2006100818.tif 000016
【図１０】
2006100818.tif 000017
【図１１】
2006100818.tif 000018
【図１２】
2006100818.tif 000019
【図１３】
2006100818.tif 000020
【図１４】
2006100818.tif 000021
【図１４Ａ】
2006100818.tif 000022
【図１５】
2006100818.tif 000023
【図１５Ａ】
2006100818.tif 000024
【図１６】
2006100818.tif 000025
【図１６Ａ】
2006100818.tif 000026
【図１７】
2006100818.tif 000027
【図１８】
2006100818.tif 000028
【外国語明細書】
2006100818.tif 000029
2006100818.tif 000030
2006100818.tif 000031
2006100818.tif 000032
2006100818.tif 000033
2006100818.tif 000034
2006100818.tif 000035
2006100818.tif 000036
2006100818.tif 000037
2006100818.tif 000038
2006100818.tif 000039
2006100818.tif 000040
2006100818.tif 000041
2006100818.tif 000042
2006100818.tif 000043
2006100818.tif 000044
2006100818.tif 000045
2006100818.tif 000046
2006100818.tif 000047
2006100818.tif 000048
2006100818.tif 000049
2006100818.tif 000050
2006100818.tif 000051
2006100818.tif 000052
2006100818.tif 000053
2006100818.tif 000054
2006100818.tif 000055
2006100818.tif 000056
2006100818.tif 000057
2006100818.tif 000058
2006100818.tif 000059
2006100818.tif 000060
2006100818.tif 000061
2006100818.tif 000062
2006100818.tif 000063
2006100818.tif 000064
2006100818.tif 000065